(57)【要約】【課題】  ディスクドライブのアクチュエータラッチを提供する。【解決手段】  ラッチ本体２２１の凹部２２６内に位置する壁に設けられている少なくとも一つのダンピング構造体を備えるディスクドライブ２００のアクチュエータラッチ２２０が提供される。このようなダンピング構造体は，ラッチ本体とアクチュエータの末端間の衝撃を吸収してアクチュエータのトランスデューサの騷音を最小化させ，所定の時間経過後であったとしてもアクチュエータとトランスデューサとの元来の形状を保持する。ラッチ本体の凹部は，パーキングゾーン内のトランスデューサの位置を維持するためにアクチュエータの末端と結合する。ダンピング構造体は，アクチュエータの回転を止めるためにアクチュエータの末端に力を加える。【選択図】    図６
2005011510.tif 000002
【特許請求の範囲】
【請求項１】
ディスクドライブのアクチュエータの末端と嵌合可能な凹部を有するラッチ本体と；
前記ラッチ本体の前記凹部内の壁に設けられている少なくとも一つのダンピング構造体と；
を備えることを特徴とする，ディスクドライブのアクチュエータラッチ。
【請求項２】
前記ラッチ本体に設けられ，前記アクチュエータの末端に設けられた突出部と結合して前記アクチュエータの回転を止めるフックをさらに備えることを特徴とする，請求項１に記載のディスクドライブのアクチュエータラッチ。
【請求項３】
前記ラッチ本体は，前記ラッチ本体を貫通するピボットが設けられ，
前記ラッチ本体は，前記フックと前記突出部とが結合可能に，前記ピボットを中心に回転自在であることを特徴とする，請求項２に記載のディスクドライブのアクチュエータラッチ。
【請求項４】
前記ダンピング構造体は，前記アクチュエータの末端に対して前記アクチュエータの回転を止め得る力を提供することを特徴とする，請求項１に記載のディスクドライブのアクチュエータラッチ。
【請求項５】
複数のダンピング構造体は，前記ラッチ本体の凹部内のそれぞれ相違する壁に設けられており，
前記アクチュエータの末端に対して前記アクチュエータの回転を止め得る力を，複数重ねて提供することを特徴とする，請求項１に記載のディスクドライブのアクチュエータラッチ。
【請求項６】
前記ダンピング構造体は，前記凹部内の前記壁に付着されている圧縮性材質，前記凹部内の前記壁に没入されている圧縮性材質および前記凹部内の前記壁に形成されたＵ字状の構造体のうち何れか一つの弾性材質よりなることを特徴とする，請求項１に記載のディスクドライブのアクチュエータラッチ。
【請求項７】
ディスクドライブのアクチュエータの末端と嵌合可能な凹部を有するラッチ本体と；
前記アクチュエータの末端が前記凹部内の少なくとも一つの壁に接触する時，衝撃力を減衰させるダンピング手段と；
を備えることを特徴とする，ディスクドライブのアクチュエータラッチ。
【請求項８】
前記ラッチ本体のフックを前記アクチュエータの末端の突出部と結合させ前記アクチュエータの回転を止める結合手段をさらに備えることを特徴とする，請求項７に記載のディスクドライブのアクチュエータラッチ。
【請求項９】
前記ダンピング手段は，前記アクチュエータの末端に対して前記アクチュエータの回転を止め得る力を提供する提供手段をさらに備えることを特徴とする，請求項７に記載のディスクドライブのアクチュエータラッチ。
【請求項１０】
前記ダンピング手段は，前記アクチュエータの末端に対して前記アクチュエータの回転を止め得る力を複数重ねて提供する提供手段をさらに備えることを特徴とする，請求項７に記載のディスクドライブのアクチュエータラッチ。
【請求項１１】
トランスデューサをディスクに対して移動させるアクチュエータと；
前記アクチュエータの末端と嵌合可能な凹部が設けられているラッチ本体および前記ラッチ本体の前記凹部内の壁に設けられている少なくとも一つのダンピング構造体を備えるアクチュエータラッチと；
を含むことを特徴とする，ディスクドライブ。
【請求項１２】
前記ラッチ本体に設けられ，前記アクチュエータの末端に設けられた突出部と結合して前記アクチュエータの回転を止めるフックをさらに備えることを特徴とする，請求項１１に記載のディスクドライブ。
【請求項１３】
前記ダンピング構造体は，前記アクチュエータの末端に対して前記アクチュエータの回転を止め得る力を提供することを特徴とする，請求項１１に記載のディスクドライブ。
【請求項１４】
複数のダンピング構造体は，前記ラッチ本体の凹部内のそれぞれ相違する壁に設けられており，
前記アクチュエータの末端に対して前記アクチュエータの回転を止め得る力を，複数重ねて提供することを特徴とする，請求項１１に記載のディスクドライブ。
【請求項１５】
前記ダンピング構造体は，前記凹部内の前記壁に付着されている圧縮性材質，前記凹部内の前記壁に没入されている圧縮性材質および前記凹部内の前記壁に形成されたＵ字状の構造体のうち何れか一つの弾性材質よりなることを特徴とする，請求項１１に記載のディスクドライブ。
【請求項１６】
アクチュエータの末端をラッチ本体の凹部内に結合する結合段階と；
前記アクチュエータの末端が前記凹部内の少なくとも一つの壁に接触する時，衝撃を減衰させるダンピング段階と；
を含むことを特徴とする，アクチュエータのラッチング方法。
【請求項１７】
前記アクチュエータの回転を止めるために前記アクチュエータの末端に設けられた突出部を前記ラッチ本体に設けられたフックと結合する段階をさらに含むことを特徴とする，請求項１６に記載のアクチュエータのラッチング方法。
【請求項１８】
前記ダンピング段階は，前記アクチュエータの末端に対して前記アクチュエータの回転を止め得る力を提供する提供段階をさらに備えることを特徴とする，請求項１６に記載のアクチュエータのラッチング方法。
【請求項１９】
前記ダンピング段階は，前記アクチュエータの末端に対して前記アクチュエータの回転を止め得る力を複数重ねて提供する提供段階をさらに備えることを特徴とする請求項１６に記載のアクチュエータのラッチング方法。
【請求項２０】
前記ダンピング段階は，前記凹部内の前記壁に付着されている圧縮性材質，前記凹部内の前記壁に没入されている圧縮性材質および前記凹部内の前記壁に形成されたＵ字状の構造体のうち何れか一つの弾性材質を利用することを特徴とする，請求項１６に記載のアクチュエータのラッチング方法。
【発明の詳細な説明】
【技術分野】
【０００１】
本発明は，ハードディスクドライブのようなディスクドライブに係り，さらに詳細にはディスクドライブのアクチュエータに力を加えて騷音を最小化するダンピング構造体を有するアクチュエータラッチ，ディスクドライブおよびアクチュエータのラッチング方法に関する。
【背景技術】
【０００２】
図１を参照すると，ケーシング１０２に覆われたディスクドライブ１００は，ディスク１０４を備えている。ディスクドライブ１００は，例えば磁気的にデータを保存するハードディスクドライブ（ＨＤＤ：Ｈａｒｄ Ｄｉｓｋ Ｄｒｉｖｅ）でありうる。ディスク１０４は，大きいデータ容量を提供するために積載される複数のディスクのうち一部分である。ディスク１０４は，スピンドルモータ１０６によってディスクの軸を中心に回転する。トランスデューサ１０８は，アクチュエータ１１０が回転することによってディスク１０４の半径方向（図では矢印で表す。）に移動し，ディスクに接近して，読み出し／書き込みを行う。磁石１１２の磁場において，アクチュエータに設けられたボイスコイル１１１に電流が加えられると，ピボット１１４を中心にアクチュエータ１１０が回転する。このようにアクチュエータ１１０がピボット１１４を中心に回転すると，トランスデューサ１０８はディスク１０４の半径方向に沿って移動する。
【０００３】
ディスク１０４は高速に回転するので，読出し／書込み動作中，ディスク１０４に接近するトランスデューサ１０８とディスク１０４との間には空気力学のクッションが発生する。それにより，読出し／書込み動作中，トランスデューサ１０８は，ディスク１０４上に浮上してディスク１０４と接触しない。ディスク１０４が回転していない時には，空気力学クッションは無くなり，トランスデューサ１０８をディスク１０４上に浮上させることはできない。トランスデューサ１０８とディスク１０４とが相互に接触することによって，トランスデューサ１０８またはディスク１０４が損傷するのを防止するために，ディスク１０４が回転していない時，トランスデューサ１０８は，パーキングゾーンに待避する。パーキングゾーンは，ディスク１０４の内側の半径部分に位置することもあり，また，ディスク１０４から離れて位置する独立したパーキングゾーン１１８として提供されることもある。このようなディスクドライブ１００の構成および動作は，当業者にとって公知のものである。
【０００４】
トランスデューサ１０８とディスク１０４とが相互に接触することによってトランスデューサ１０８またはディスク１０４が損傷することを防止するため，また，ディスクドライブ１００に外力が作用した時のため，トランスデューサ１０８はパーキングゾーン１１６もしくは１１８内に位置することが望ましい。特に，携帯用ディスクドライブ１００は，外力によって容易に破損もしくは落下しうる。
【０００５】
所定位置にアクチュエータを止めるために磁石を使用する停止部が特許文献１および２に開示されている。また，特許文献３には，トランスデューサをパーキングゾーンに位置させるために磁石を使用するアクチュエータラッチが開示されている。しかし，磁力を利用する構成では，磁力より強い外力がトランスデューサ１０８に加えられたとき，トランスデューサ１０８が，パーキングゾーン１１８またはディスク１０４上から離脱する可能性がある。
【０００６】
図２および図３は，特許文献４に開示されているディスクドライブ用の機械的アクチュエータラッチ１２０を示す図面である。図１〜図３に示された図面符号と同じ図面符号を使用する構成要素は，同じ構成および機能を有する構成要素である。このようなアクチュエータラッチ１２０は，アクチュエータラッチ１２０の中心１２６を回転するように設置され，一端１２２とフック１２４とを備える。さらに，第１ラッチ部１３２と第２ラッチ部１３４とはアクチュエータ１１０の末端に形成される。
【０００７】
図１〜図３を参照すると，ディスクドライブ１００に外力が作用する時，アクチュエータ１００は，ピボット１１４を時計方向または反時計方向に回転されうる。図２を参照すると，アクチュエータ１１０が反時計方向に回転する時，アクチュエータ１１０の第１ラッチ部１３２は，アクチュエータ１１０の反時計方向の回転を止めるためにアクチュエータラッチ１２０のフック１２２と結合する。図３を参照すると，アクチュエータ１１０が時計方向に回転する時，アクチュエータ１１０の第２ラッチ部１３４はアクチュエータ１１０の時計方向の回転を止めるためにアクチュエータラッチ１２０の一端１２４と結合する。この時，トランスデューサ１０８は，図２および図３に示すようにパーキングゾーン１１８内に位置している。
【０００８】
図４および図５は，特許文献４に従来技術として示されているものであって，ディスクドライブ用の他の機械的アクチュエータラッチ１４０を示している。図１〜図５に示された図面符号と同じ図面符号を使用する構成要素は，同じ構成および機能を有する構成要素である。アクチュエータラッチ１４０は，ラッチピボット１４４を回転させるフック１４２を備える。また，アクチュエータ１１０の末端にはノッチ１４６が形成されている。さらに，ディスクドライブには衝撃停止部１４８が設けられている。
【０００９】
図４を参照すると，アクチュエータ１１０が反時計方向に回転する時，アクチュエータ１１０のノッチ１４６は，アクチュエータ１１０の反時計方向の回転を止めるためにアクチュエータラッチ１４０のフック１４２と結合する。図５を参照すると，アクチュエータ１１０が時計方向に回転する時，アクチュエータ１１０は，アクチュエータ１１０を反時計方向に回転させる得る衝撃停止部１４８に接触するので，アクチュエータ１１０のノッチ１４６は，図４に示されたようにラッチ１４０のフック１４２と結合する。この時，トランスデューサ１０８は，図４および図５に示すようにパーキングゾーン１１８内に位置している。
【００１０】
このような従来技術では，アクチュエータ１１０が，アクチュエータラッチ１２０，１４０のうち何れか一つと接触しつつ，発生する相対的に大きい衝撃を吸収するので，上記アクチュエータラッチ１２０，１４０は有効ではない。したがって，ディスクドライブ１００に外力が作用する時，アクチュエータラッチ１２０，１４０もアクチュエータ１１０と接触して衝撃を吸収する。このような衝撃吸収から起因する機構的なストレスは，トランスデューサ１０８には騷音として，また，所定の時間経過後のアクチュエータ１１０およびトランスデューサ１０８における機械的な損傷として，不利に作用する。したがって，アクチュエータラッチは，アクチュエータによって吸収される衝撃を最小にし，パーキングゾーンの所定位置にトランスデューサを留めることが望ましい。
【００１１】
【特許文献１】米国特許第５,３６５,３８９号明細書公報
【特許文献２】特開平９−２３１６９５号公報
【特許文献３】米国特許第５,３６３,２６１号明細書公報
【特許文献３】米国特許第６,５２９,３４９号明細書公報
【発明の開示】
【発明が解決しようとする課題】
【００１２】
本発明は，従来のアクチュエータラッチが有する上記問題点に鑑みてなされたものであり，本発明の目的は，アクチュエータラッチがアクチュエータと接触する時に発生する衝撃を吸収し，トランスデューサをパーキングゾーン内に位置させ，ディスクまたはトランスデューサの損傷を防止することが可能な，新規かつ改良されたディスクドライブのアクチュエータラッチ，ディスクドライブおよびアクチュエータのラッチング方法を提供することである。
【課題を解決するための手段】
【００１３】
上記目的を達成するために，本発明によれば，ディスクドライブのアクチュエータラッチは，ディスクドライブのアクチュエータの末端と嵌合可能な凹部を有するラッチ本体と；上記ラッチ本体の上記凹部内の壁に設けられ，接触時の衝撃を減衰する少なくとも一つのダンピング構造体と；を備える。
【００１４】
上記ラッチ本体に設けられ，上記アクチュエータの末端に設けられた突出部と結合して上記アクチュエータの回転を止めるフックをさらに備えるとしても良い。
【００１５】
上記ラッチ本体は，上記ラッチ本体を貫通するピボットが設けられ，上記ラッチ本体は，上記フックと上記突出部とが結合可能に，上記ピボットを中心に回転自在であるとしても良い。
【００１６】
上記ダンピング構造体は，上記アクチュエータの末端に対して上記アクチュエータの回転を止め得る力を提供するとしても良い。
【００１７】
複数のダンピング構造体はそれぞれ，上記ラッチ本体の凹部内のそれぞれ相違する壁に設けられており，上記アクチュエータの末端に対して上記アクチュエータの回転を止め得る力を，複数重ねて提供するとしても良い。
【００１８】
上記ダンピング構造体は，上記凹部内の上記壁に付着されている圧縮性材質，上記凹部内の上記壁に没入されている圧縮性材質および上記凹部内の上記壁に形成されたＵ字状の構造体のうち何れか一つの弾性材質よりなるとしても良い。
【００１９】
また，本発明の他の観点では，ディスクドライブのアクチュエータラッチは，ディスクドライブのアクチュエータの末端と嵌合可能な凹部を有するラッチ本体と；上記アクチュエータの末端が上記凹部内の少なくとも一つの壁に接触する時，衝撃力を減衰させるダンピング手段とを備える。
【００２０】
上記ラッチ本体のフックを上記アクチュエータの末端の突出部と結合させ上記アクチュエータの回転を止める結合手段をさらに備えるとしても良い。
【００２１】
上記ダンピング手段は，上記アクチュエータの末端に対して上記アクチュエータの回転を止め得る力を提供する提供手段をさらに備えるとしても良い。
【００２２】
上記ダンピング手段は，上記アクチュエータの末端に対して上記アクチュエータの回転を止め得る力を複数重ねて提供する提供手段をさらに備えるとしても良い。
【００２３】
また，このようなアクチュエータラッチを備えるディスクドライブ，および，アクチュエータのラッチング方法も提供される。
【発明の効果】
【００２４】
本発明によるＨＤＤのアクチュエータラッチは，アクチュエータとの接触によって発生する衝撃を緩和させることができ，衝撃による騒音をも低減させうる。
【発明を実施するための最良の形態】
【００２５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２６】
図６に示されるように，ケーシング２０２，ディスク２０４，スピンドルモータ２０６，トランスデューサ２０８，アクチュエータ２１０，ボイスコイル２１１，磁石２１２，ピボット２１４およびパーキングゾーン２１６，２１８を備える本実施形態によるディスクドライブ２００は，図１に示されたディスクドライブ１００の構成要素に対応した構成および機能を含んでいる。ディスクドライブ１００は，例えば磁気的にデータを保存するＨＤＤに適用される。ディスク２０４は，大きいデータ容量を提供するため重畳された複数のディスクのうち何れか一部分（一枚）であるが，単純に説明するためにトランスデューサ１０８に対応する一つのディスク２０４が図６に示されている。
【００２７】
読出し／書込み動作中，ディスク２０４は高速に回転され，ディスク２０４とトランスデューサ２０８間には空気力学クッションが発生する。したがって，ディスク２０４に接近するトランスデューサ２０８は，ディスク２０４上に浮上してディスク２０４と直接接触しない。ディスク２０４が回転していない時は，トランスデューサ２０８をディスク２０４上に浮上させる空気力学クッションが発生しない。このようにディスク２０４が回転していない時，ディスク２０４とトランスデューサ２０８とが相互接触することによってディスク２０４またはトランスデューサ２０８が損傷するのを防止するため，トランスデューサ２０８はパーキングゾーン２１６，２１８のうち何れか一つに待避される。
【００２８】
本実施形態はディスク２０４から所定間隔離れているパーキングゾーン２１８内に位置するトランスデューサ２０８を図示しかつ説明する。また，本実施形態は，ディスク２０４上にある他の形態としてのパーキングゾーン内に位置するトランスデューサ２０８にも適用されうる。
【００２９】
ディスク２０４とトランスデューサ２０８とが相互接触することによってディスク２０４とトランスデューサ２０８とに損傷が発生することを防止するために，ディスクドライブ２００に外力が作用してもトランスデューサ２０８はパーキングゾーン２１８内に位置している方が望ましい。特に，携帯用ディスクドライブ２００は，外力によって容易に破損，または落下しうる。したがって，本実施形態は，図７に示されたように，突出部２２４が設けられているアクチュエータ２１０の末端２２２とアクチュエータラッチ２２０とを備える。
【００３０】
図６〜図８を参照すると，アクチュエータラッチ２２０のラッチ本体２２１には，図８に示されたように，トランスデューサ２０８がパーキングゾーン２１８内に位置する時，アクチュエータ２１０の末端２２２に結合する凹部２２６が設けられている。トランスデューサ２０８がパーキングゾーン２１８内に置かれている時，アクチュエータラッチ２２０の凹部２２６とアクチュエータ２１０の末端２２２とは結合している。また，読出し／書込み動作中にトランスデューサ２０８がディスク２０４上に浮上している時，アクチュエータ２１０の末端２２２がアクチュエータラッチ２２０の凹部２２６から離隔されている。さらに，アクチュエータラッチ２２０は，凹部２２６内にある第１壁２３０に設けられるダンピング手段としての第１ダンピング構造体２２８と第２壁２３４に設けられる第２ダンピング構造体２３２とを備える。また，アクチュエータラッチ２２０は，ラッチ本体２２１を貫通するピボット２３８とラッチ本体２２１に設けられているフック２３６とを備えている。
【００３１】
図９〜図１１は，ダンピング構造体２２８，２３２を有するアクチュエータラッチ２２０の動作を説明する。図６を参照すると，ディスクドライブ２００に外力が作用する時，アクチュエータ２１０の末端２２２はピボット２１４を中心に回転する。図６および９を参照すると，ディスクドライブ２００に外力が作用する時，アクチュエータ２１０の末端２２２の第１面２２９は，第１ダンピング構造体２２８に接触して圧力を加える。例えば，アクチュエータアーム２１０が時計方向に回転する時に，末端２２２の第１面２２９が第１ダンピング構造体２２８と接触して圧力を加える。
【００３２】
本実施形態の一例において，ダンピング構造体２２８，２３２は，凹部２２６の第１壁２３０および第２壁２３４にそれぞれ付着されたスポンジ材質で形成される圧縮可能材質（弾性材質）よりなる。図９に示されたように，第１ダンピング構造体２２８の圧縮は，アクチュエータ２１０の末端２２２の第１面２２９に対抗するように矢印で表示された，第１ダンピング構造体２２８の反発力（圧縮力）を発生させる。しかも，アクチュエータ２１０の末端２２２と第１ダンピング構造体２２８とが接触することによって，ラッチ本体２２１はピボット２３８を中心に反時計方向に回転する。その結果，アクチュエータ２１０の末端２２２は，図１０に示されたように第２ダンピング構造体２３２を圧縮する。
【００３３】
第２ダンピング構造体２３２の圧縮は，アクチュエータ２１０の末端２２２の第２面２３３に対抗するように図１０の矢印で表示された，第２ダンピング構造体２３２の反発力（圧縮力）を発生させる。第２ダンピング構造体２３２の反発力（圧縮力）は，図１１に示されたように，アクチュエータ２１０の末端２２２の釣り状の突出部２２４がアクチュエータラッチ２２０のフック２３６と結合するように補助する。
【００３４】
したがって，図９および図１０に示されたように，第１ダンピング構造体２２８および第２ダンピング構造体２３２は，反発力（圧縮力）を二重に提供し，突出部２２４がフック２３６と結合して噛み合う状態になるように手助けをする。結合手段としての突出部２２４とフック２３６との結合は，アクチュエータ２１０がさらに回転するのを防止する。結果的に，第１ダンピング構造体２２８と第２ダンピング構造体２３２とから二重に作用する力（提供手段による力）はアクチュエータ２１０の回転を止めている。
【００３５】
図１１を参照すると，アクチュエータ２１０が反時計方向に回転すると，アクチュエータ２１０の末端２２２の突出部２２４は，アクチュエータラッチ２２０のフック２３６と結合する。このような突出部２２４とフック２３６との結合は，アクチュエータ２１０がさらに回転するのを防止するので，トランスデューサ２０８はパーキングゾーン２１８内に維持される。図６を参照すると，アクチュエータ２１０がさらに回転するのを防止する，図４および図５における停止部１４８に対応して，本実施形態のディスクドライブ２００も停止部２４０を備えうるので，トランスデューサ２０８は，パーキングゾーン２１８内に維持される。本実施形態は，ディスクドライブ２００内の停止部２４０の有無に拘わらず実施される。
【００３６】
このように，アクチュエータ２１０の末端２２２は，ラッチ本体２２１の凹部２２６内に位置する第１ダンピング構造体２２８と第２ダンピング構造体２３２とを介して接触する。ここで，第１ダンピング構造体２２８と第２ダンピング構造体２３２とは圧縮され，即ち，アクチュエータ２１０の接触で生じる衝撃を吸収し，衝撃自体は減衰される。このように，アクチュエータ２１０に加えられる構造的ストレスは最小化され，また，アクチュエータ２１０およびトランスデューサ２０８の元来の形状は時間の経過に拘わらず保持される。こうしてトランスデューサ２０８から発生する騷音は減少する。
【００３７】
さらに，第１ダンピング構造体２２８および第２ダンピング構造体２３２それぞれからの反発力によって，アクチュエータ２１０の末端２２２の突出部２２４がアクチュエータ２１０のフック２３６と結合した状態で維持され，アクチュエータ２１０の回転を停止させる。このようにして，突出部２２４とフック２３６とが結合しつつ，トランスデューサ２０８はパーキングゾーン２１８内に位置される。さらに，磁気的ラッチの代りに機械的なラッチ２２０を使用しているので，トランスデューサ２０８はディスクドライブ２００に外力が激しく作用してもパーキングゾーン２１８内に維持される。
【００３８】
図１２は，本実施形態によるアクチュエータラッチの第２実施例を示す図面である。図１２を参照すると，アクチュエータラッチ２５０は，図６〜図１１のアクチュエータラッチ２２０と類似している。図６〜図１１のアクチュエータラッチ２２０で，第１ダンピング構造体２２８と第２ダンピング構造体２３２とはアクチュエータラッチ２２０の凹部２２６内に位置する壁２３０，２３４にそれぞれ付着された圧縮性材質よりなる。また，図１２の第２実施例において，第１ダンピング構造体２５２と第２ダンピング構造体２５４とは，図６〜図１１の第１ダンピング構造体２２８および第２ダンピング構造体２３２と同様の圧縮性材質よりなる。
【００３９】
しかし，図１２における第１ダンピング構造体２５２および第２ダンピング構造体２５４は，ラッチ本体２２１の凹部２２６内にそれぞれ位置する第１壁２３０および第２壁２３４に没入されている。第１壁２３０および第２壁２３４にはそれぞれ，開放ホールが形成されており，この開放ホールに第１ダンピング構造体２５２および第２ダンピング構造体２５４がそれぞれ付着される。上述の図７における実施例とは構成が相違するが，図１２のダンピング構造体２５２，２５４は，アクチュエータ２１０の末端２２２と接触しつつ圧縮により衝撃を吸収し，衝撃自体を減衰する。さらに，ダンピング構造体２５２，２５４それぞれは，アクチュエータ２１０の末端２２２の突出部２２４がアクチュエータ２１０のフック２３６と結合した状態で維持され，アクチュエータ２１０の回転を停止させる。
【００４０】
図１３は，本実施形態によるアクチュエータラッチの第３実施例を示している。図１３を参照すると，アクチュエータラッチ２６０は，図６〜図１２のアクチュエータラッチ２２０，２５０と類似している。しかし，第１ダンピング構造体２６２および第２ダンピング構造体２６４はそれぞれ，ラッチ本体２２１の凹部２２６内にそれぞれ位置する第１壁２３０および第２壁２３４に形成されたＵ字状よりなる。
【００４１】
図１４は，図１３に示されたＵ字状のダンピング構造体２６２，２６４のうち一つを拡大して示している。図１４を参照すると，Ｕ字状の開放ホール２６９の上部側の幅２６６は，Ｕ字状の開放ホール２６９の下部側の幅２６８よりも広く設けられている。円形の開放ホール２６９がＵ字状の開放ホール２６７の下部側に形成されて細いカンチレバーネック２７０を提供する。アクチュエータ２１０の末端２２２がＵ字状のダンピング構造体２６２，２６４のうち何れか一つと接触する時，カンチレバーネック２７０がそれぞれの壁２３０，２３４側に曲がる。このようなダンピング構造体２６２，２６４は，第１壁２３０および第２壁２３４から再び反発しつつアクチュエータ２１０の末端２２２に対抗する圧縮力を提供してアクチュエータ２１０の回転を停止させる。Ｕ字状の開放ホール２６７それぞれの幅２６６，２６８とＵ字状のダンピング構造体２６２，２６４それぞれのカンチレバーネック２７０の厚さは望ましい圧縮力の強度を提供するために任意に設定されうる。さらに，Ｕ字状のダンピング構造体２６２，２６４それぞれは，曲がることによりアクチュエータ２１０の末端２２２と接触しつつ減少した衝撃を吸収できる。
【００４２】
上記は本実施形態の例を表したものであって，これに限定されるものではない。例えば，本実施形態ではディスクドライブ２００内に設けられている一つのディスク２０４とそれに対応するトランスデューサ２０８とを参考として図示した。しかし，ディスクドライブ２００は，本実施形態のトランスデューサ，アクチュエータおよびアクチュエータラッチに対応する複数のディスクよりなり得る。さらに，本実施形態はラッチ本体の凹部内に位置する多数の壁に設けられた多数のダンピング構造体より実行されうる。したがって，示された多数の構成要素は単純な例示にすぎない。また，示されたラッチ本体およびダンピング構造体の形状も単純な例示にすぎない。本発明は，ただ特許請求の範囲に記述されたものによってのみ制限される。
【産業上の利用可能性】
【００４３】
本発明によるＨＤＤは，データを保存するか，または保存されたデータを再生するコンピュータ関連分野，光記録再生分野に利用されうる。
【図面の簡単な説明】
【００４４】
【図１】従来のディスクドライブの構成を示す図面である。
【図２】従来のディスクドライブのアクチュエータの回転を止めるための第１機械的ラッチの構成を示す図面である。
【図３】従来のディスクドライブのアクチュエータの回転を止めるための第１機械的ラッチの構成を示す図面である。
【図４】従来のディスクドライブのアクチュエータの回転を止めるための第２機械的ラッチの構成を示す図面である。
【図５】従来のディスクドライブのアクチュエータの回転を止めるための第２機械的ラッチの構成を示す図面である。
【図６】本実施形態の第１実施例によるディスクドライブのアクチュエータによって吸収されて最小衝撃力を有するアクチュエータラッチを備えるディスクドライブの構成を示す図面である。
【図７】本実施形態の第１実施例によって図６のアクチュエータラッチの動作のうちラッチ構造体の凹部内に位置するダンピング構造体を拡大して示す図面である。
【図８】本実施形態の第１実施例によって図６のアクチュエータラッチの動作のうちラッチ構造体の凹部内に位置するダンピング構造体を拡大して示す図面である。
【図９】本実施形態の第１実施例によって図６のアクチュエータラッチの動作のうちラッチ構造体の凹部内に位置するダンピング構造体を拡大して示す図面である。
【図１０】本実施形態の第１実施例によって図６のアクチュエータラッチの動作のうちラッチ構造体の凹部内に位置するダンピング構造体を拡大して示す図面である。
【図１１】本実施形態の第１実施例によって図６のアクチュエータラッチの動作のうちラッチ構造体の凹部内に位置するダンピング構造体を拡大して示す図面である。
【図１２】本実施形態の第２実施例によってラッチ構造体の凹部内に位置するダンピング構造体を示す図面である。
【図１３】本実施形態の第３実施例によってラッチ構造体の凹部内に位置するダンピング構造体を示す図面である。
【図１４】本実施形態の第３実施例によってラッチ構造体の凹部内に位置するダンピング構造体を示す図面である。
【符号の説明】
【００４５】
２００  ディスクドライブ
２０２  ケーシング
２０４  ディスク
２０６  スピンドルモータ
２０８  トランスデューサ
２１０  アクチュエータ
２１１  ボイスコイル
２１２  磁石
２１４  ピボット
２１６，２１８  パーキングゾーン
２２０  アクチュエータラッチ
２２１  ラッチ本体
２２２  末端
２２８  第１ダンピング構造体
２３２  第２ダンピング構造体
２３６  フック
２３８  ピボット
２４０  停止部
【図１】
2005011510.tif 000003
【図２】
2005011510.tif 000004
【図３】
2005011510.tif 000005
【図４】
2005011510.tif 000006
【図５】
2005011510.tif 000007
【図６】
2005011510.tif 000008
【図７】
2005011510.tif 000009
【図８】
2005011510.tif 000010
【図９】
2005011510.tif 000011
【図１０】
2005011510.tif 000012
【図１１】
2005011510.tif 000013
【図１２】
2005011510.tif 000014
【図１３】
2005011510.tif 000015
【図１４】
2005011510.tif 000016